(57)【要約】【課題】生地等の処理対象物にしわがつかず、処理むらが生じない、優れた処理試験を行うことのできるポット処理方法と、それに用いるポット処理機を提供する。【解決手段】処理対象物とともに処理液を、開閉蓋付有底筒状のポット１１内に密閉収容してポットホルダ１８を介して保持し、上記ポット１１を上下方向に往復移動させる昇降動作と、上記ポットを、その上下端が同一平面上で円を描くように回転させる回転動作とを、適宜のタイミングで組み合わせて与えるようにした。【選択図】図１
2006104625.tif 000002
【特許請求の範囲】
【請求項１】
処理対象物とともに処理液を、開閉蓋付有底筒状のポット内に密閉収容して保持し、上記ポットを上下方向に往復移動させる昇降動作と、上記ポットを、その上下端が同一平面上で円を描くように回転させる回転動作とを、適宜のタイミングで組み合わせて与えるようにしたことを特徴とするポット処理方法。
【請求項２】
上記ポットに対する回転動作が、正回転と逆回転を適宜のタイミングで組み合わせるようになっている請求項１記載のポット処理方法。
【請求項３】
請求項１または２に記載されたポット処理方法に用いられるポット処理機であって、処理対象物とともに処理液を密閉収容することのできる開閉蓋付有底筒状ポットと、上下方向に往復動作が与えられるよう設定された昇降ブロックを備え、上記昇降ブロックには、上記ポットを保持するホルダと、上記ホルダに連結され、上記ホルダごとポットを、ポットの上下端が同一平面上で円を描くように回転させる回転駆動手段とが設けられていることを特徴とするポット処理機。
【請求項４】
上記昇降ブロックに、上記ホルダが複数個ずつ列状に設けられており、上記回転駆動手段が、各ホルダを列ごとに一括して回転駆動するようになっている請求項３記載のポット処理機。
【発明の詳細な説明】
【技術分野】
【０００１】
本発明は、布や糸等に対し試験的に処理を行うのに適したポット処理方法およびそれに用いるポット処理機に関するものである。
【背景技術】
【０００２】
従来から、布や糸等の染色処理等を行う場合、実機による処理に先立って、少量単位の処理を、処理条件を変えて試験的に行うことにより、処理見本を作製したり、処理条件を調整したりすることが行われている。
【０００３】
上記処理試験には、通常、布等の試料と処理液とを入れた小さな有底筒状の密閉容器（ポット）が用いられ、これに、適宜の振動動作や回転動作を与えて処理を行うようになっている。このような処理試験用の装置としては、さまざまなタイプのものが提案され、実用化されている。例えば、図８（ａ）および（ｂ）に示すように、試料１と処理液２とを収容したポット３を、水平に支持されたポット回転車輪４上に載置し、上記ポット回転車輪４に正逆回転を与えてポット３を回転させるとともに、下方に設けたヒータ５で加熱することにより、ポット３内の試料１を処理するようにしたもの（特許文献１参照）が提案されている。
【０００４】
また、図９に示すように、ポット３を支持軸６に対し所定角度で取り付け、その支持軸６を回転させることにより、ポット３に対し特殊な回転動作を与えて試料１を処理液２で処理するようにしたもの（特許文献２参照）も提案されている。
【特許文献１】特開平８−２７１３３８号公報
【特許文献２】特開２００２−３０９４７６公報
【発明の開示】
【発明が解決しようとする課題】
【０００５】
これらの試験機は、低浴比処理を行うことができ、ポット３ごとに個別に温度制御することができるという利点を有する反面、ポット３に、単一の回転動作もしくはその逆回転動作が繰り返し与えられるにすぎず、ポット３内での試料および処理液の動きが少なく、しわが固定されたり、もみ効果が低く処理むらが生じやすいという問題がある。
【０００６】
本発明は、このような事情に鑑みなされたもので、生地等の処理対象物にしわがつかず、処理むらが生じない、優れた処理試験を行うことのできるポット処理方法と、それに用いるポット処理機の提供を目的とする。
【課題を解決するための手段】
【０００７】
上記の目的を達成するため、本発明は、処理対象物とともに処理液を、開閉蓋付有底筒状のポット内に密閉収容して保持し、上記ポットを上下方向に往復移動させる昇降動作と、上記ポットを、その上下端が同一平面上で円を描くように回転させる回転動作とを、適宜のタイミングで組み合わせて与えるようにしたポット処理方法を第１の要旨とする。
【０００８】
そして、本発明は、上記ポットの処理方法のなかでも、特に、上記ポットに対する回転動作が、正回転と逆回転を適宜のタイミングで組み合わせるようになっているポット処理方法を第２の要旨とする。
【０００９】
また、本発明は、上記第１または第２の要旨であるポット処理方法に用いられるポット処理機であって、処理対象物とともに処理液を密閉収容することのできる開閉蓋付有底筒状ポットと、上下方向に往復動作が与えられるよう設定された昇降ブロックとを備え、上記昇降ブロックには、上記ポットを保持するホルダと、上記ホルダに連結され、上記ホルダごとポットを、ポットの上下端が同一平面上で円を描くように回転させる回転駆動手段とが設けられているポット処理機を第３の要旨とする。
【００１０】
さらに、本発明は、上記ポット処理機のなかでも、特に、上記昇降ブロックに、上記ホルダが複数個ずつ列状に設けられており、上記回転駆動手段が、各ホルダを一括して回転駆動するようになっているポット処理機を第４の要旨とする。
【発明の効果】
【００１１】
すなわち、本発明のポット処理方法によれば、処理対象物と処理液とを密閉収容した筒状ポットに対し、回転動作と昇降動作とを組み合わせて与えるようにしたため、低浴比であっても、処理対象物が複雑に動き、処理液と充分に接触して均一に処理が行われ、処理むらやしわが生じない。また、処理試験を行う場合、回転動作と昇降動作の組み合わせ方を調整することにより、処理対象物に対し、生産機に近い伸縮運動を与えることができ、高い再現性を奏することができる。
【００１２】
そして、本発明のポット処理機によれば、上記ポット処理方法を、効率よく実施することができる。
【発明を実施するための最良の形態】
【００１３】
つぎに、本発明を実施するための最良の形態について説明する。
【００１４】
図１〜図４は、本発明の一実施の形態であるポット処理機を示している。これらの図において、１０は、上下２つの部分を有する本体フレームで、上部には、ポット１１を装填して処理を行う処理部１２が設けられ、下部には、ポット１１に対し昇降動作を与える昇降手段１３が設けられている。なお、実際には、本体フレーム部１０の正面上段には観音開き式の開閉扉が設けられており、正面下段は板金製のカバー１５（図４参照）で被覆されているが、図１、図２では、省略している。また、１６は制御盤である。
【００１５】
上記処理部１２には、正面に向かってカバー板１７が垂立しており、その前面に、１３個のポットホルダ１８が、上段４個、中段５個、下段４個の３列の配置で取り付けられている。そして、各ポットホルダ１８には、処理対象物と処理液とを密閉収容するポット１１が、それぞれ保持されるようになっている。
【００１６】
上記ポット１１は、図５に示すように、本体部２０が有底略筒状で、開口部が少し拡径された形状になっており、この拡径部２１に、蓋体２２がら合されるようになっている。また、本体部２０には、上下２個所に、環状の凸条２３、２４が設けられており、ポットホルダ１８の上下端面と係合するようになっている（図６参照）。
【００１７】
一方、上記ポット１１を保持するポットホルダ１８は、図６（ａ）〜（ｃ）に示すように、内部が中空の六面体からなり、平面部２５と底面部２６が、上記ポット１１の凸状２３、２４と係合するよう切り欠かれている。そして、正面部２７が蝶番２８によって開閉し、この部分からポット１１を装入した後、側方に設けられたクランプ機構２９によって、上記ポット１１の保持を固定できるようになっている。なお、ポットホルダ１８の正面部２７および右側面部３０には、軽量化のために切欠き部３１が形成されている。
【００１８】
そして、上記ポットホルダ１８の背面部３２には、ボス３３を介して、後方から水平に延びる回転軸３４が固定されている。上記回転軸３４は、カバー板１７の後面に一体的に取り付けられた昇降フレーム４１（図２〜図４参照）側の軸受ガイド４２、４３によって、回転自在に支受されている。４４は位置決め用のボスである。
【００１９】
より詳しく説明すると、昇降フレーム４１には、図２および図３に示すように、上下３段にベース板４５が取り付けられており、各段のベース板４５ごとに、上記回転軸３４を支受する軸受ガイド４２、４３が設けられている。そして、各ベース板４５には、左右方向に延びるスライドベース４６が、市販のスライドレール部材（図示せず）を介して、左右方向にスライド自在に取り付けられている。
【００２０】
上記スライドベース４６の中央には、左右方向に延びるラック４７が取り付けられており、前記回転軸３４に取り付けられたピニオン４８と噛み合うようになっている。そして、上記ベース板４５に取り付けられたエアシリンダ４９の押出動作により、図２において鎖線Ｘで示すように、スライドベース４６をスライドさせ、それに伴うラック４７の移動によってピニオン４８を１８０°回転させることができるようになっている。また、上記エアシリンダ４９の引き込み動作により、ピニオン４８が１８０°反転して、もとの位置に戻るようになっている。この回転が、回転軸３４を介して前記ポットホルダ１８に伝達されるため、ポットホルダ１８に保持されたポット１を、１８０°回転させ、あるいは１８０°反転させることができる。
【００２１】
また、上記昇降フレーム４１には、下方に設けられた昇降手段１３（図１、図３参照）によって、昇降動作が与えられるようになっている。すなわち、上記昇降手段１３として、モータ５０と、モータ５０の回転がタイミングベルト５１により伝達される駆動軸５２とが設けられている。そして、上記駆動軸５２の両端部には、回転運動を上下方向の往復運動に変換するスライダクランク機構５３が設けられており、これに連結される昇降ベース５４を、所定のストロークで昇降させることができるようになっている。そして、上記昇降ベース５４から延びる２本のロッド５５、５６の上端部が、前記昇降フレーム４１の底面に連結されており、昇降フレーム４１が一体的に昇降するようになっている。
【００２２】
なお、上記昇降フレーム４１の昇降動作は、図３、図４に示すように、その背面側の左右個所に設けられたリニアガイド５７、５８によってガイドされるようになっている。
【００２３】
また、このポット処理機において、開閉扉１５の内側面には、上下方向に延びる遠赤外線ヒータ６０が、所定間隔で配設されており、処理部１２を所定温度に加熱できるようになっている。また、処理部１２において、装着されたポット１１の下方に設けられた送風口６１から、冷却用の空気が送入され、排気口６２から排出されるようになっている。６３は冷却ファンである。
【００２４】
上記ポット処理機により、例えばつぎのようにして、染色処理試験を行うことができる。すなわち、まず、処理対象物である生地と、所定の染色液とを、各ポット１１に収容して密閉し、図２に示すように、処理部１２の各ポットホルダ１８に保持させる。そして、各ポット１１に与える回転動作と、各ポット１１を昇降フレーム４１ごと上下方向に往復移動させる昇降動作とを、適宜に組み合わせるとともに、処理部１２内を所定温度に加熱して、ポット１１内の生地を染色処理することができる。
【００２５】
上記処理試験によれば、ポット１１に、回転動作と昇降動作とを組み合わせて与えるため、低浴比（例えば１：３〜１：１０）であっても、生地を複雑に動かすことができ、染色液に充分かつ均一に接触させることができる。したがって、得られる生地に、染色むらやしわが生じない。また、回転動作と昇降動作の組み合わせ方を調整することにより、生地に対し、生産機に近い伸縮運動を与えることができるため、高い再現性を奏する。
【００２６】
なお、上記の例において、ポット１１の形状は、開閉蓋付有底筒状であれば、特に限定するものではないが、例えば、図７に示すように、開口部に切込み７０を形成し、この切込み７０を利用して、処理対象物吊り下げ用のハンガー７１を取り付けるようにしたものを用いるようにしてもよい。上記ハンガー７１の形状は、図示のものに限らず、適宜に設定することができる。
【００２７】
そして、ポットホルダ１８の形状も、上記ポット１１を保持して回転運動もしくは回転・反転運動を与えることができるものであれば、特に限定するものではない。
【００２８】
また、上記の例では、ポットホルダ１８への回転駆動を、ピニオン・ラック機構によって行っているが、タイミングベルトやチェーン、ギアの組み合わせ等を用いるようにしても差し支えない。そして、上記の例のように、上下３段の各列ごとに一括してポットホルダ１８を回転させるようにしているが、全てのポットホルダ１８を一括して回転させるようにしてもよい。もちろん、各ポットホルダ１８を個別に回転させるようにしてもよい。
【００２９】
なお、ポットホルダ１８の初期状態における姿勢は、図１では、やや傾いた起立姿勢になっているが、この姿勢に限定するものではなく、任意に設定することができる。
【００３０】
また、本発明のポット処理機は、染色試験に限らず、各種の処理試験に適用することができる。また、試験に限らず、小ロット単位の実機として用いることもできる。そして、その処理対象も、ポット１１内で処理できるものであれば、特に限定するものではない。
【００３１】
さらに、本発明において、ポットホルダ１８に与える回転動作は、正転と反転を交互に繰り返すものであっても、正転のみ、もしくは反転のみを繰り返すものであってもよい。そして、所定時間（所定回数）の回転動作の合間に、一定の休止時間を設けた間欠運動としてもよい。そして、ポットホルダ１８に与える昇降動作も、その移動距離や移動速度、間隔等を、適宜に設定することができる。また、昇降動作の起点、終点に、上記ポットホルダ１８に回転動作を与えるようにしてもよいし、昇降動作途中に、上記回転動作を与えるようにしてもよい。
【図面の簡単な説明】
【００３２】
【図１】本発明の一実施例を示す正面図である。
【図２】上記実施例の部分的な説明図である。
【図３】図１の右側面図である。
【図４】図１の平面図である。
【図５】上記実施例に用いるポットの説明図である。
【図６】（ａ）は上記実施例に用いるポットホルダの正面図、（ｂ）はその右側面図、（ｃ）はその平面図である。
【図７】上記実施例に用いるポットの変形例の説明図である。
【図８】（ａ）は従来のポット処理試験機の一例を示す正面図、（ｂ）はその右側面図である。
【図９】従来のポット処理試験機の他の例を示す右側面図である。
【符号の説明】
【００３３】
１１  ポット
１８  ポットホルダ
【図１】
2006104625.tif 000003
【図２】
2006104625.tif 000004
【図３】
2006104625.tif 000005
【図４】
2006104625.tif 000006
【図５】
2006104625.tif 000007
【図６】
2006104625.tif 000008
【図７】
2006104625.tif 000009
【図８】
2006104625.tif 000010
【図９】
2006104625.tif 000011